(57)【要約】【課題】平面視四角形の棚板をＬ型の支柱で支持してなる棚装置において、棚板の見栄えを良くしつつ堅牢性もアップする。【解決手段】支柱２は中空構造になっており、内側板１２の内面にナット１７を取り付けている。棚板１の周壁部も周壁も外周壁７と内周壁８とを有する中空構造であり、内周壁８を端部であるコーナー突出部１４に連結金具５を溶接して、突出部１４と連結金具５と内側板１２とをボルト１６で共締めしている。コーナー突出部１４は連結金具５よりも上下高さは小さく、連結金具５はコーナー突出部１４の外側に配置されている。連結金具５にはコーナー突出部１４が嵌まる凹部１５が形成されており、コーナー突出部１４と連結金具５とは同一面を成している。従って、見栄えが良い。【選択図】図２
2014171583.tif 000002
【特許請求の範囲】
【請求項１】
平面視略四角形の金属板製棚板と、前記棚板をそのコーナー部において支持する支柱とを備えており、
前記棚板は、水平姿勢の基板とその周囲に鉛直状に設けた単層又は複数の周壁部と、前記基板のコーナーを挟んで隣り合った周壁部に固定された平面視Ｌ型の連結金具とを備えており、前記連結金具と周壁部と支柱とがボルトで締結されている構成であって、
前記棚板の周壁部には前記支柱の内側に位置したコーナー突出部を設けており、前記コーナー突出部の内側又は外側に前記連結金具を配置しており、前記コーナー突出部と連結金具とのうち一方の部材に他方の部材が嵌まり込む凹部を形成することにより、前記コーナー突出部と連結金具との内面を略同一面状に形成している、
棚装置。
【請求項２】
前記棚板の周壁部は空間を介して配置された外周壁と内周壁とを備えていて、前記外周壁と内周壁とは連接部を介して繋がっており、このため前記周壁部は中空構造になっており、前記外周壁と連接部とを切欠くことで支柱が棚板のコーナー部に支柱が嵌まるようになっており、かつ、前記コーナー突出部は前記内周壁を延長することで構成されていてコーナー突出部の外側に前記連結金具が配置されており、前記連結金具に前記凹部が形成されていると共に、前記連結金具の左右両端に、前記周壁部の端部を塞ぐ端片が曲げ形成されている、
請求項１に記載した棚装置。
【発明の詳細な説明】
【技術分野】
【０００１】
本願発明は、平面視四角形の棚板をそのコーナー部において略Ｌ型の支柱で支持した構造の棚装置に関するものである。この場合、本願発明の棚装置は、定置式のタイプとキャスター（コロ、車輪）を備えた移動自在なワゴンタイプとの両方を含んでいる。
【背景技術】
【０００２】
ワゴンタイプ等の棚装置として、棚板を平面視四角形に形成して、各支柱のコーナー部を平面視略Ｌ型の支柱で支持したものがある。棚板は略鉛直状の周壁部を備えたトレー状の形態を成している一方、支柱は各棚板のコーナー部に外側から重なっており、一般に、支柱と棚板とはボルト（及びナット）で締結されている。
【０００３】
この種の棚装置の単純な構造は、支柱は帯板を直角に曲げただけの構造として、棚板はその周壁部を単層又は２層構造にしたものであるが、単純な構造では横からの外力に対して弱いという問題がある。そこで、例えば特許文献１のように、棚板のコーナー部に内側から補強金具を配置して、補強金具と棚板の周壁部と支柱とをボルトで共締めすることが行われている。
【先行技術文献】
【特許文献】
【０００４】
【特許文献１】実公平３−３００２６号公報
【発明の概要】
【発明が解決しようとする課題】
【０００５】
特許文献１のように棚板の内面側に補強金具を設けると棚装置の堅牢性を向上できるが、補強金具と棚板内周面との間に段差ができるため、見栄えが悪くなる虞がある。
【０００６】
本願発明は、このような現状を改善すべく成されたものである。
【課題を解決するための手段】
【０００７】
本願発明の棚装置は、平面視略四角形の金属板製棚板と、前記棚板をそのコーナー部において支持する支柱とを備えており、前記棚板は、水平姿勢の基板とその周囲に鉛直状に設けた単層又は複数の周壁部と、前記基板のコーナーを挟んで隣り合った周壁部に固定された平面視Ｌ型の連結金具とを備えており、前記連結金具と周壁部と支柱とがボルトで締結されている、という基本構成である。
【０００８】
そして、請求項１の発明では、上記基本構成において、前記棚板の周壁部には前記支柱の内側に位置したコーナー突出部を設けており、前記コーナー突出部の内側又は外側に前記連結金具を配置しており、前記コーナー突出部と連結金具とのうち一方の部材に他方の部材が嵌まり込む凹部を形成することにより、前記コーナー突出部と連結金具との内面を略同一面状に形成している。
【０００９】
本願発明は請求項２の発明も含んでいる。請求項２の発明は、請求項１において、前記棚板の周壁部は空間を介して配置された外周壁と内周壁とを備えていて、前記外周壁と内周壁とは連接部を介して繋がっており、このため前記周壁部は中空構造になっており、前記外周壁と連接部とを切欠くことで支柱が棚板のコーナー部に支柱が嵌まるようになっており、かつ、前記コーナー突出部は前記内周壁を延長することで構成されていてコーナー突出部の外側に前記連結金具が配置されており、前記連結金具に前記凹部が形成されていると共に、前記連結金具の左右両端に、前記周壁部の端部を塞ぐ端片が曲げ形成されている。
【発明の効果】
【００１０】
本願発明では、コーナー突出部の内面と連結金具の内面とが同一面を成していて段差がないため、見栄えが良いと共に、手が触れてもコーナー突出部又は連結金具の端面に引っ掛かるようなことはなくて安全性が高い。また、凹部を形成したことで連結金具又はコーナー突出部の曲げ強度が向上するため、棚板の剛性を高めて棚板の堅牢性アップにも貢献できる。
【００１１】
請求項２の構成を採用すると、支柱と棚板の周壁部とがいずれも中空構造であることと、連結金具に凹部と端片とが形成されていて曲げ強度が向上することとにより、棚装置全体としての堅牢性・剛性を格段に向上できる。また、棚板における周壁部の外周壁や連接部を連結金具の端片に当接させることができるため、この面からも棚板の剛性をより一層向上できる。更に、端片を設けたことで、連結金具の端面に人の手が触れることはないため、安全性も向上できる。
【００１２】
連結金具に端片を設けることはそれ自体として独立した発明たり得るのであり、端片との関係では、棚板の周壁部は必ずしも中空構造である必要はない。同様に、端片との関係では、連結金具とコーナー突出部とは同じ高さであってもよい。
【図面の簡単な説明】
【００１３】
【図１】第１実施形態の図で、（Ａ）は全体斜視図、（Ｂ）は要部斜視図である。
【図２】第１実施形態の図で、（Ａ）は要部分離斜視図、（Ｂ）は部分的な要部斜視図である。
【図３】（Ａ）は図２（Ａ）のIIIA-IIIA 視断面図、（Ｂ）は支柱を図２（Ａ）のIIIB-IIIB 視方向から見た図である。
【図４】第２実施形態の部分斜視図である。
【図５】第３実施形部の部分斜視図である。
【発明を実施するための形態】
【００１４】
(1).第１実施形態
次に、本願発明の実施形態を図面に基づいて説明する。本実施形態はワゴンタイプの棚装置に適用しており、まず、図１〜３に示す第１実施形態を説明する。棚装置は、図１，２のとおり、平面視略四角形の３段の棚板１と、各棚板１をそのコーナー部において支持する４本の支柱２と、各支柱の下端に取り付けたキャスター３とを備えている。図３（Ｂ）に示すように、支柱２の上端にキャップ２ａを装着している。
【００１５】
なお、キャスター３を備えていない場合は、各支柱２の下端にアジャスターボルトや樹脂製接地体を設けることが多い。図示していないが、棚装置は押し引きするための把手を設けており、把手は、棚板１の短辺の個所に位置した一対の支柱２の上部に固定されている。
【００１６】
図１，２のとおり、各棚板１は、上向きに開口したトレー状の本体４と、本体４の四隅部に溶接された連結金具（補強金具）５とで構成されている。本体４は鋼板製又はステンレス板製であり、図１（Ｂ）に明示するように、水平姿勢の基板（底板又は天板と呼んでもよい）６と、その外周縁（４辺）に連接された鉛直姿勢の外周壁７と、外周壁７の先端から基板６の側に曲げられた内周壁８とを有している。外周壁７と内周壁８との間は空間になっており、外周壁７と内周壁８とは連接部９で繋がっている。従って、外周壁７と内周壁８と連接部９とで中空構造の周壁部が構成されている。
【００１７】
連接部９は基板６に向いて凹の半円形状になっているが、略水平姿勢であってもよい。内周壁８の上下幅寸法は外周壁７のそれよりも小さい寸法になっており、先端は、外周壁７に当接又は近接する傾斜姿勢の端片８ａになっている。端片８ａの存在により、安全性が図られている。なお、端片８ａの先端は、基板６と外周壁７とが繋がった内角部に当接又は近接させてもよい。
【００１８】
支柱２は基本的にはＬ型になっており、正確には、平面視略Ｌ型の姿勢を成して繋がった２枚の外側板１０と、両外側板１０の外側縁に繋がった内向きの外端板１１と、外端板１１の内端に繋がって外側板１０と略平行な内側板１２と、内側板１２に繋がっていて外側板１０に向いた内端板１３とを備えており、このため支柱２は中空構造（正確には、中空部を２つ備えた構造）になっている。
【００１９】
外側板１０と外端板１１とは平面視で略直交し、外端板１１と内側板１２とは平面視で略直交し、内端板１３は内側板１２及び外側板１０に対して平面視で略直交した姿勢になっている。但し、図３（Ａ）に一点鎖線鎖線で示すように、内端板１３は、両外側板１０の連設部（第４折り目４２）に向かうように傾斜させてもよいし、一点鎖線の姿勢とは反対側に傾斜させてもよい。
【００２０】
支柱２における外側板１０の外面と、棚板１における外周壁７の外面とは、概ね同一面を成している（支柱２の外面を棚板１の外面から若干突出させてもよい。）。このため、図１（Ｂ）及び図２に明示するように、棚板１のコーナー部に支柱２が嵌まるように、棚板１の外周壁７と連設部９とは切欠かれている。基板６のコーナー部も、支柱２が嵌まるように切り欠かれている。
【００２１】
そして、棚板１の内周壁８は、その上部と下部とを外周壁７及び連設部と同様に切欠いて、上下中間部の部位を支柱２における内側板１２の内側に位置したコーナー突出部１４と成しており、コーナー突出部１４に外側から連結金具５を重ねて、両者を溶接で一体に固着している。
【００２２】
図２に明示するように、連結金具５は、互いに直交した左右２枚の側板５ａを有する平面視Ｌ型に形成されており、側板５ａに外側から支柱２の内側板１２が重なっている。また、連結金具５の左右外側板１０の端縁には外周壁７と連設部９と内周壁８との端面に当接する端片５ｂを曲げ形成している。
【００２３】
従って、棚板１における周壁の中空部は連結金具５の端片６ｂで塞がれた状態になっている。また、支柱２の外端板１１は連結金具５の端片５ｂと密着又は密接している。なお、端片５ｂを外周壁７等に溶接してもよい。連結金具５の左右端縁はコーナー突出部１４の上方と下方とに露出するが、端片５ｂが存在して丸みを帯びているため、露出部に手を触れても安全である。
【００２４】
連結金具５の上下高さ寸法Ｈ１は、棚板１における外周壁７の高さ寸法と殆ど同じ寸法に設定している。従って、棚板１におけるコーナー突出部１４の上下幅寸法Ｈ２は連結金具５の上下高さ寸法によりは小さくなっている。また、連結金具５における側板５ａの水平方向の幅寸法Ｗ１は支柱２の内側の左右幅寸法（仮想上の幅寸法）と略同じになっている一方、コーナー突出部１４の幅寸法Ｗ２は連結金具５における側板５ａの幅寸法Ｗ１より小さくなっている。
【００２５】
そして、図２に明示するように、連結金具５の左右側板５ａに、内周壁８のコーナー突出部１４がきっちり嵌まる凹部１５を形成し、この凹部１５とコーナー突出部１４とを溶接（スポット溶接）している。コーナー突出部１４は内周壁８から延長されているので、凹部１５はコーナーと反対側（内周壁８の側）に開口している。
【００２６】
凹部１５はコーナー突出部１４の板厚（棚板１の板厚）と略同じ寸法になっており、従って、連結金具５の内面と突出部１４の内面とはほぼ同一面を成している。このため、見栄えが良いと共に、突出部１４の外周に物が引っ掛かるような不具合はない。また、連結金具５は、凹部１５を形成したことによるリブ効果により、曲げに対する強度が格段に高くなっている。このため、棚の堅牢性も格段に高くなっている。コーナー突出部１４の左右幅寸法Ｗ２は、連結金具５における側板５ａの幅寸法Ｗ１より少し小さい程度に設定してもよい。
【００２７】
棚板１の突出部１４と連結金具５の凹所１５と支柱２の内側板１２とは、ボルト（ビス）１６及びナット１７で共締めされている。ボルト１６の頭は棚板１の内側に位置している。従って、ナット１７は、支柱２の内側板１２のうち外側板１０に向いた内面に配置している。すなわち、ナット１７は支柱２の中空部に配置されている。ナット１７は上下適宜間隔で飛び飛びに配置されており、従って、中段の棚板１の高さを調節したり、天板たる棚板１と底板たる棚板１との間に複数枚の棚板１を配置したりすることができる。
【００２８】
ナット１７は支柱２の中空部に隠れているため、見栄えが良いと共に、ナット１７に物が引っ掛かったりするような不具合もない。ナット１７は内側板１２に設けた穴に嵌まる筒部１７ａを設けており、このため正確に位置決めされている。本実施形態のナット１７は内側板１２に溶接されているが、ブラインドナットも使用できる。また、図ではナット１７は四角形に描いているが、筒部を備えていない通常の六角ナットも使用できる。
【００２９】
図２，３に示すように、支柱２における内側板１２と内端板１３とが繋がった連接部（折り目）２１のうち、ナット１７の近傍部（ナット１７の側方の個所）には、スリット１８を形成している。詳細は省略するが、このスリット１８は、帯状の素材体を曲げ加工して支柱２を製造するにおいて、予めナット１７を素材板に取り付けた状態で内端板１３を正確に曲げ加工できるようにするためのものである。
【００３０】
本実施形態では、棚板２は連結金具５の凹部１５のみが支柱２の内側板１２に重なるが、隣り合った内周壁８が連結金具５を介して一体に繋がっているので、凹部１５のみが支柱２の内側板１２に重なる状態であっても高い強度を確保できる。もとより、支柱２における内側板１２のうち凹部１５が重なる部分を凹み形成して、連結金具５を上下全長にわたって内側板１２に重ねることも可能である。
【００３１】
(2).他の実施形態
図４に示す第２実施形態では、周壁部が中空構造である点は第１実施形態と共通しているが、内周壁８を基板６に連接して、内周壁８に連接部９を介して外周壁７を曲げ形成している。そして、外周壁７は内周壁８と略同じ高さになっており、外周壁７の自由端に、内周壁８に向けて延びる底片７ａを形成し、底片７ａに、内周壁８の外面に重なるリップ７ｂを曲げ形成している。底片７ａは基板６と略同一面を成している。
【００３２】
また、この第２実施形態では、コーナー突出部１４は内周壁８をそのまま延長した形態になっており、従って、コーナー突出部１４の上下高さは内周壁８のそれと殆ど同じである。また、本実施形態では、コーナー突出部１４は基板６に一体に繋がっている。
【００３３】
そして、本実施形態では連結金具５の上下高さがコーナー突出部１４の上下高さよりも小さくなっており、従って、連結金具５をコーナー突出部１４の内側に配置して、コーナー突出部１４に凹部１５を形成している。支柱２も中空構造になっているが、本実施形態では、内端板１３は外側板１１の連接部の個所に位置していて、隣り合った内端板１３は密着又は近接している。隣り合った内側板１２同士を溶接してもよい。
【００３４】
本実施形態のようにコーナー突出部１４を基板６に一体に連続させた形態において、コーナー突出部１４の高さを連結金具５の高さよりも低くして、連結金具５をコーナー突出部１４の外側に配置することも可能である。この場合は、第１実施形態と同様に凹部１５は連結金具５に形成する。
【００３５】
図５は第１実施形態の変形例であり、連結金具５をコーナー突出部１４の内側に配置して、コーナー突出部１４に凹部１５を形成している。この場合は、連結金具５も支柱２の内面に当接するため、連結強度が高くなる利点がある。なお、図５のようにコーナー突出部１４の内側に連結金具５を配置した棚板は既に知られているが、連結金具５に凹部１５を設けることで連結金具５も支柱２に重なる構造は、本願発明によって成されたものである。
【００３６】
(3).その他
本願発明は、上記の実施形態の他にも具体化できる。例えば、支柱の内側板と連結金具又はコーナー突出部とに、互いに嵌まり合う突起と穴（又は切欠き）とを形成することで、支柱と連結金具との位置決めを行うことも可能である（突起と穴とは、いずれの部材に形成してもよい。）。
【産業上の利用可能性】
【００３７】
本願発明は、実際に棚装置に適用できる。従って、産業上利用できる。
【符号の説明】
【００３８】
１  棚板
２  支柱
３  キャスター
４  棚板の本体
５  連結金具
５ａ  側板
５ｂ  端片
６  棚板の基板
７  棚板の周壁部を構成する外周壁
８  棚板の周壁部を構成する内周壁
９  棚板の周壁部を構成する連接部
１０  外側板
１１  外端板
１２  内側板
１３  内端板
１４  内周壁の突出部
１５  凹部
１６  ボルト
１７  ナット
【図１】
2014171583.tif 000003
【図２】
2014171583.tif 000004
【図３】
2014171583.tif 000005
【図４】
2014171583.tif 000006
【図５】
2014171583.tif 000007